(57)【要約】      （修正有）【課題】カラオケ装置において、予約楽曲の表示・非表示に関し、演奏順到来をあらかじめ知り混乱を回避しつつ、サプライズにより場を盛り上げることを可能とした演奏予約楽曲の曲目一覧表示機能を提供する。【解決手段】セッション管理ができる１人１アカウントを持つことができるカラオケシステムのリモコン端末１０，１１，１２，１３において、他人に非表示としつつ予約したアカウントのリモコン端末装置にのみ予約曲・歌唱者を表示させる。【選択図】図２
2014219457.tif 000002
【特許請求の範囲】
【請求項１】
１台で複数アカウントを持つことのできるリモコン端末装置／アプリを使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
前記カラオケ装置の利用単位を特定するセッションＩＤを更新・発行する切替指示受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と当該リモコンＩＤとを含むリモコン識別情報を受信するリモコン信号受信手段、
歌唱予約のための選曲入力手段、
予約曲目一覧の表示を行う表示手段、
当該リモコン信号受信手段によって受信したリモコン識別情報に基づいて、当該カラオケ装置と前記リモコン端末装置の対応付を制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持することを特徴とするカラオケシステムであって、
リモコン端末装置は演奏予約したい楽曲の選定を受け付け、当該楽曲について、曲目、歌唱者等の表示を「する」・「しない」の選択を受け付け、これらの選択結果をカラオケ装置に伝達し、制御手段は表示「しない」が選択された場合、歌唱開始まで曲目や歌唱者等の情報を自分のアカウントで接続した場合のみに表示させ、カラオケ装置本体や他の利用者のアカウントで接続した場合には表示させないことを特徴とするカラオケシステム。
【請求項２】
上記カラオケシステムは、アカウントによる楽曲の演奏予約の際、曲目指定時に、同じ曲がすでに同一セッション内で他のアカウントによって予約されている場合、当該楽曲の予約をしようとしているアカウントにその旨を通知する請求項１記載のカラオケシステム。
【請求項３】
上記カラオケシステムは、アカウントによる楽曲の演奏予約後、同じ曲があらたに別のアカウントによって予約された場合、先に予約したアカウントにその旨を通知する請求項１記載のカラオケシステム。
【請求項４】
上記カラオケシステムは、予約順を維持して曲目の変更が可能な選曲変更手段をもつ、請求項１記載のカラオケシステム。
【請求項５】
上記カラオケシステムは、予約曲の曲順を決めるにあたって、予約済みの全参加者が１曲ずつ一順するようなロジックを構成するため、歌唱者毎の予約を予約順に保持する待機用待ち行列と、各歌唱者１曲ずつまでしか保持しない歌唱者待ち行列を組み合わせることにより、同一歌唱者が続かないよう、また途中参加者も早い機会に歌唱できるようにした請求項１記載のカラオケシステム。
【発明の詳細な説明】
【技術分野】
【０００１】
この発明は、リモコン端末装置とディスプレイをもち、リモコン端末装置から選曲予約が可能な機能を備えたカラオケ装置に関するものである。
【背景技術】
【０００２】
一般のカラオケ装置は、利用者が次々とリクエスト入力するのを受けて演奏予約された楽曲を順々に演奏し、利用者は自分の選曲した楽曲の演奏開始をもって自分の選曲した楽曲の曲順到来を知る。しかし、前もって心構えをしてから歌に望みたいという利用者にとって、いつ自分の順番が回ってくるかを確認したいという要求がある。そのため、演奏予約された曲目をディスプレイやリモコン端末装置に表示する機能を有している。
また、自分の予約送信したカラオケ楽曲がカラオケ装置で受付された時、予約を受け付けた旨を確認表示するものもある。
【０００３】
しかし、多種多様化するカラオケ利用者の中には、予期せぬ歌をいきなり歌って場を盛り上げたいという願望を持っている者が少なからず存在する。この場合、前もって演奏される楽曲が分かってしまうと却って興味が削がれ、カラオケ本来の目的である娯楽に水を注す結果とも成りかねない。そこで、従来のカラオケ装置には予約楽曲の一覧表示を表示するか、または一覧表示そのものを禁止するかを選択する手段を有している。
【０００４】
前述した従来技術では、予約された伴奏音楽の曲目を確認するために、カラオケ本体に予約曲目全てが表示される画面を見て利用者は自分の順番を確認する。一方、予期せぬ曲をいきなり歌って場を盛り上げるといった演出をしようとする場合は、カラオケ本体への表示そのものをとりやめるものであるが、極端なケースでは全員が選曲予約時に表示をしない選択にした場合、全員の選曲がカラオケ本体に表示されることがなくなり、表示機能の意味がなくなってしまう。
【０００５】
そこで本発明は前述した従来の問題点に鑑みなされたもので、その目的は、カラオケ装置の簡単なソフトウェア機能を追加することで容易に実施でき、利用者それぞれのカラオケに対する嗜好を汲み取りつつ、カラオケ会場などでの場を盛り上げることを可能とした、画期的な演奏予約楽曲の曲目一覧表示機能を提供することである。
【先行技術文献】
【特許文献】
【０００６】
【特許文献１】特開２００５−９９４５０号公報
【特許文献２】特開２００５−９９２０３号公報
【特許文献３】特許３２９０８９９号公報
【発明の概要】
【発明が解決しようとする課題】
【０００７】
特許文献１は、利用者の個人識別符号と、個人識別標章とを対応付けして記憶し、利用者インタフェースにより受け付けた楽曲と、利用者の個人識別符号と、表示／非表示の指定とを対応付けして演奏処理の待ち行列に登録し、利用者の指定と楽曲の指定と曲名表示／非表示の指定とを受け付け可能とし、待ち行列に登録されている楽曲に対応する個人識別標章を一覧表示するとともに、その楽曲に表示指定が対応付けされている場合には、一覧中の該当標章に該当の曲名を添えて表示し、その楽曲に非表示指定が対応付けされている場合には、該当の曲名を一覧中の該当標章に添えて表示しないカラオケ装置である。
【０００８】
特許文献２は、利用者インタフェースにより受け付けた楽曲と利用者の個人識別符号と表示／非表示の指定とを対応付けして演奏処理の待ち行列に登録する待ち行列管理手段と、待ち行列に登録されている楽曲に対応する曲名を一覧表示するとともに、その楽曲に表示指定が対応付けされている場合には、曲名一覧中の該当曲名に該当の個人識別標章を添えて表示し、その楽曲に非表示指定が対応付けされている場合には、該当の個人識別標章を曲名一覧中の該当曲名に添えて表示しない予約リスト表示制御手段とを備えたカラオケ装置としている。
【０００９】
特許文献１乃至２は、ともに個人識別情報を用いているため、あらかじめ利用者が特定されている必要がある。
【００１０】
特許文献３は、楽曲番号がマスク符号を伴うことにより、演奏予約楽曲の曲目一覧表示において楽曲名を表示しない機能を提供するものである。
【００１１】
特許文献１乃至３の発明において、予約楽曲や歌唱者の表示はカラオケ装置本体に行い、その表示／非表示を選択するものである。このため、表示しない選択をした場合、歌唱者本人も気が付かないケースが想定される。とくに多くの利用者が表示しない選択をした場合、曲が開始されるまで曲目も歌唱者もわからないといった事態が起こりうる。
【課題を解決するための手段】
【００１２】
本発明では、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、各アカウントに対し、少なくとも自アカウントのリモコン端末装置に予約曲・歌唱者を表示することにより不要な混乱を回避しつつ、予期せぬ曲目や歌唱者が登場するサプライズの趣向をみたすようなカラオケシステムを目指している。  
【００１３】
本発明の請求項１では、カラオケ装置と、カラオケ装置を操作する任意数の１アカウント１台、あるいは複数アカウントで１台のリモコン端末装置とを接続し、利用単位を「セッション」で対応付け、同一セッション内で（特定の会員等への登録が不要な）複数人の利用者が１人１アカウントを持つことができるカラオケシステムであって、
利用単位を特定するセッションＩＤを「リセット」することにより更新・発行できる切替受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と当該リモコンＩＤとを含むリモコン識別情報を受信するリモコン信号受信手段、
歌唱予約のための選曲入力手段、
予約曲目一覧の表示を行う表示手段、
当該リモコン信号受信手段によって受信したリモコン識別情報に基づいて、当該カラオケ装置と前記リモコン端末装置の対応付を制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持することを特徴とするカラオケシステムであって、
リモコン端末装置は演奏予約したい楽曲の選定をし、当該楽曲について、曲目、歌唱者等の表示を、それぞれ「する」・「しない」の選択をし、これらの選択結果をカラオケ装置に伝達することができ、制御手段は表示「しない」が選択された場合、歌唱開始まで曲目や歌唱者等の情報をカラオケ装置本体には表示せず、自分のアカウントで接続した場合にのみリモコン端末装置に表示させ、他の利用者のアカウントで接続した場合には表示させないことを特徴とするカラオケシステムである。
【００１４】
請求項２では、上記カラオケシステムは、リモコン端末装置による楽曲の演奏予約の際、曲目指定時に、同じ曲がすでに同一セッション内で他のアカウントによって予約されている場合、当該楽曲を予約しようとしているアカウントにその旨を通知するようにしたものである。
【００１５】
請求項３では、上記カラオケシステムは、リモコン端末装置による楽曲の演奏予約後、同じ曲があらたに別のアカウントによって予約された場合、先に予約したアカウントにその旨を通知するようにしたものである。
【００１６】
請求項４では、上記カラオケシステムにおいて、リモコン端末装置による楽曲の演奏予約後、予約順を維持して曲目の変更が可能な選曲変更手段をもつようにしたものである。
【００１７】
請求項５では、上記カラオケシステムにおいて、予約曲の曲順を決めるにあたって、曲目全体の予約順でなく、予約済みの全参加者が１曲ずつ一順するようなロジックを構成して、歌唱者毎の予約を予約順に保持する待機用待ち行列と、各歌唱者１曲ずつまでしか保持しない歌唱者待ち行列を組み合わせることにより、同一歌唱者が続かないよう、また途中参加者も早い機会に歌唱できるようにしたものである。
下記は曲順調整の一例である。
Ａさんが曲Ｘ、曲Ｙ、曲Ｚを、
Ｂさんが曲Ｐ、曲Ｑを、
Ｃさんが曲Ｒを、
この順Ｘ→Ｙ→Ｚ→Ｐ→Ｑ→Ｒで予約した。
通常では、Ｘ→Ｙ→Ｚ→Ｐ→Ｑ→Ｒの曲順となるが、この順で歌唱した場合、最後に予約したＣさんの１曲目は、Ａさんが３曲、Ｂさんが２曲歌った後になってしまう。
ここで、各自の１曲目と予約順を考慮し、
まず、各人の１曲目を優先することにより、Ａさんの１曲目Ｘ、Ｂさんの１曲目Ｐ、Ｃさんの１曲目Ｒを演奏する。この曲Ｘ、曲Ｐ、曲Ｒの３曲の中では予約順で、Ｘ→Ｐ→Ｒとなる。もしこれ以上誰も予約を入れない場合、その後の曲順はＡさんの２曲目Ｙ、Ｂさんの２曲目Ｑ、Ａさんの３曲目Ｚとなる。
これによりＡさんが３曲続けて演奏することがなく、Ｃさんも５曲待つということもなくなる。
その後、歌唱開始後、Ｄさんが加わった場合、Ｄさんの予約により、Ｄさんの１曲目（Ｓ）が挿入される。
Ｄさんの選曲「Ｓ」が入るタイミング
＜Ａさんの１曲目（Ｘ）開始後＞（Ｘ）→Ｐ→Ｒ→「Ｓ」→Ｙ→Ｑ→Ｚ
＜Ｂさんの１曲目（Ｐ）開始後＞（Ｘ→Ｐ）→Ｒ→Ｙ→「Ｓ」→Ｑ→Ｚ
＜Ｃさんの１曲目（Ｒ）開始後＞（Ｘ→Ｐ→Ｒ）→Ｙ→Ｑ→「Ｓ」→Ｚ
となる。
【発明の効果】
【００１８】
本発明によれば、たとえば利用者のスマートフォンをリモコンとして使用できるカラオケ装置において、歌唱予約した歌唱者や曲目を自分のスマートフォンのみに表示し、他の人には知らせないことにより不要な混乱を回避しつつカラオケ演奏におけるサプライズ効果が期待できる。
【図面の簡単な説明】
【００１９】
【図１】本発明の一実施例によるネットワーク接続を示す説明図。
【図２】本発明の一実施例によるリモコン端末装置の曲目表示イメージ。
【発明を実施するための形態】
【００２０】
以下に本発明の請求項１の実施例を示す。
図１において、カラオケ装置１とリモコン端末装置２、３、４として使用する利用者のスマートフォンがペアリングされている。リモコン端末装置２、３、４は、１人１リモコンや、１リモコンで複数のユーザがログインできる。図１の例では、リモコン端末装置２には利用者５、６が、リモコン端末装置３には利用者７が、リモコン端末装置４には利用者８、９がログインしている。
利用者はそれぞれが自分のＩＤでログインしているため、それぞれ自分にカスタマイズされたリモコン画面を見ている。
【００２１】
いま、利用者Ａ、Ｂ、Ｃ、Ｄ、Ｅ、Ｆがカラオケ装置１に曲目を各１曲予約しており、Ａさんは、歌唱者を表示しない選択をし、Ｂさんは曲目を表示しない選択をし、Ｃさんは曲目と歌唱者を表示をしない選択をした場合、図２のような表示となる。
Ａさんのリモコンには自分の情報は表示されるが、Ｂさんの曲目、Ｃさんの曲目と歌唱者は表示されない。（リモコン画面１０）
Ｂさんのリモコンには自分の情報は表示されるが、Ａさんの歌唱者、Ｃさんの歌唱者と曲目は表示されない。（リモコン画面１１）
Ｃさんのリモコンには自分の情報は表示されるが、Ａさんの歌唱者、Ｂさんの曲目は表示されない。（リモコン画面１２）
その他の人のリモコンには、Ａさんの歌唱者、Ｂさんの曲目、Ｃさんの歌唱者と曲目が表示されない。（リモコン画面１３）
このためＡさん、Ｂさん、Ｃさんの歌唱順が到来したとき、ほかの人のリモコンには歌唱者や曲目が表示されていないためサプライズとなる。
【符号の説明】
【００２２】
１…カラオケ装置
２、３、４…リモコン端末装置
５、６、７、８、９…利用者
１０…Ａさんのリモコン画面
１１…Ｂさんのリモコン画面
１２…Ｃさんのリモコン画面
１３…他の人のリモコン画面
【図１】
2014219457.tif 000003
【図２】
2014219457.tif 000004